(57)【要約】【課題】側壁となる４面のパネルを全て床体上に倒伏可能として、組立て作業及び撤収作業の効率化を図る。【解決手段】折畳まれた状態のユニットハウス１は、床体２の床前フレーム２ｂと床後フレーム２ｃとの高さ方向の段差により、各フレーム２ｂ，２ｃにヒンジ７を介して回動自在に支持されている前桁パネル３と後桁パネル４とが重畳させた状態で倒伏され、又床体２の両側に立設するステー８に妻パネル５が回動自在に支持されており、この両妻パネル５が突き合わせた状態で倒伏され、その上面に屋根体６が載置される。【選択図】図６
2012158897.tif 000002
【特許請求の範囲】
【請求項１】
床体の相反する２辺に設けた各床フレームに対して下部が回動自在に支持されていると共に前記床体上に重畳された状態で倒伏自在な第１、第２のパネルと、
前記床体の他の２辺に対して下部が回動自在に支持されていると共に前記床体上に突き合わせた状態で倒伏自在な第３、第４のパネルと、
起立された前記第１〜第４のパネルの上面に載置されると共に倒伏された状態の前記第１〜第４のパネル上に載置自在な屋根体と
を備えることを特徴とするユニットハウス。
【請求項２】
前記第１のパネルと前記第２のパネルとを各々支持する前記各床フレームの高さに、倒伏させた際の該第１のパネルと該第２のパネルとの重畳を許容する段差が設定されている
ことを特徴とする請求項１記載のユニットハウス。
【請求項３】
前記床体上に前記第１、第２のパネルが重畳された状態で倒伏され、該両パネル上に前記第３、第４のパネルが突き合わされた状態で倒伏される
ことを特徴とする請求項１或いは２記載のユニットハウス。
【請求項４】
前記床体上に前記第３、第４のパネルが突き合わされた状態で倒伏され、該両パネル上に前記第１、第２のパネルが重畳された状態で倒伏される
ことを特徴とする請求項１或いは２記載のユニットハウス。
【発明の詳細な説明】
【技術分野】
【０００１】
本発明は、壁面となる４面のパネルを全て床体上に折畳んだ状態で収納することのできる折畳み式ユニットハウスに関する。
【背景技術】
【０００２】
従来、この種の折畳み式ユニットハウスは、設置及び撤収が容易であるため、土木現場や建設現場等における仮設事務室として広く利用されている。又、保管するに際しては、直方体の扁平状に折畳むことができるので、複数の折畳み式ユニットハウスを積層して保管することができ、保管スペースを効率よく使用できる。
【０００３】
例えば、特許文献（特開２００８−１０１４０２号公報）には、保管に際しては、床体上に柱体を倒伏させ、その上に、屋根を積み重ね、更に、床体と屋根との間に形成されたスペースに、取り外された側壁（パネル）を収納するようにした折畳み式ユニットハウスが開示されている。
【先行技術文献】
【特許文献】
【０００４】
【特許文献１】特開２００８−１０１４０２号公報
【発明の概要】
【発明が解決しようとする課題】
【０００５】
しかし、上述した文献に開示されている技術では、ユニットハウスを組立てるに際し、側壁（パネル）を後から取付ける必要があるため、組立て作業に時間を要するばかりでなく、取り外した部品に欠品が生じ易く、管理が煩雑化するという不都合がある。
【０００６】
更に、撤収するに際しては、側壁（パネル）を一々取り外して収納しなければならないため、撤収作業が煩雑で、作業性が悪いと云う問題もある。
【０００７】
本発明は、上記事情に鑑み、側壁となる４面のパネルを全て床面上に倒伏可能として、組立て作業、及び撤収作業の効率化が実現できるばかりでなく、極めてコンパクトに折畳んだ状態で保管することのできる折畳み式ユニットハウスを提供することを目的とする。
【課題を解決するための手段】
【０００８】
本発明によるユニットハウスは、床体の相反する２辺に設けた各床フレームに対して下部が回動自在に支持されていると共に前記床体上に重畳された状態で倒伏自在な第１、第２のパネルと、前記床体の他の２辺に対して下部が回動自在に支持されていると共に前記床体上に突き合わせた状態で倒伏自在な第３、第４のパネルと、起立された前記第１〜第４のパネルの上面に載置されると共に倒伏された状態の前記第１〜第４のパネル上に載置自在な屋根体とを備えることを特徴とする。
【発明の効果】
【０００９】
本発明によれば、第１〜第４のパネルを全て床面上に倒伏可能にしたので、組立て作業、及び撤収作業の効率化を実現することができ、極めてコンパクトに折畳んだ状態で保管することができ、保管スペースを有効利用することができる。又、第１〜第４のパネルが全て床板の４辺に連設されているため、保管中にばらばらになったり、欠品が生じることがなく管理が容易となる。
【図面の簡単な説明】
【００１０】
【図１】折畳み式ユニットハウスの組立てた状態の正面図
【図２】図１の左側面図
【図３】図１のIII-III断面図
【図４】図１のIV-IV断面図
【図５】折畳み式ユニットハウスの折畳んだ状態を示す斜視図
【図６】図５の状態から屋根を外した状態を示す斜視図
【図７】図６の状態から一方の妻パネルを起立させた状態を示す斜視図
【図８】図７の状態から他方の妻パネルを起立させた状態を示す斜視図
【図９】図８の状態から後桁パネルを起立させた状態を示す斜視図
【図１０】図９の状態から前桁パネルを起立させた状態を示す斜視図
【図１１】図１０の状態から屋根を取付けた状態を示す斜視図
【図１２】図１１の状態から屋根を固定した状態を示す斜視図
【発明を実施するための形態】
【００１１】
以下、図面に基づいて本発明の一実施形態を説明する。尚、以下においては、各部材の前後左右方向を、組立てた状態のユニットハウス１を基準として説明する。
【００１２】
図１〜図３に示すように、本実施形態で示す折畳み式ユニットハウス（以下、単に「ユニットハウス」と称する）１は、床体２の前後に第１のパネルとしての前桁パネル３と、第２のパネルとしての後桁パネル４とが立設され、両側に第３、第４パネルとしての妻パネル５が立設され、更に、上部に取り外し自在な屋根体６が取付けられている。床体２は複数の角パイプ根太にて骨格が形成され、その上面に床板２ａが固設されて、平面視が長方形に形成されている。
【００１３】
背反する２辺である前後端部に固設されている床フレームとしての床前フレーム２ｂ，２ｃの上面に、前桁パネル３と後桁パネル４との底面が、ヒンジ７を介して床体２上に回動自在に支持されている。この両フレーム２ｂ，２ｃは高さ方向に段差を有しており、本実施形態では、床前フレーム２ｂの高さＨｆが床後フレーム２ｃの高さＨｒよりも低く形成されている。この段差（Ｈｒ−ｈｆ）は、両桁パネル３，４を倒伏させた際に、後桁パネル４が前桁パネル３上に、干渉することなく重畳させることを許容する高さであり、少なくとも前桁パネル３の板厚よりも高く設定されている。又、床前フレーム２ｂの高さＨｆは床板２ａと同じ位置か、それよりも高い位置に設定されている。
【００１４】
尚、この場合、床前フレーム２ｂの高さを床後フレーム２ｃよりも高くし、両桁パネル３，４を倒伏させた際に、前桁パネル３が後桁パネル４上に重畳されるように設定しても良い。
【００１５】
又、図４に示すように、床体２の両側前後端部にステー８が垂立固定されており、このステー８の上部に妻パネル５の前後に設けられている妻フレーム５ａの下部内面がねじ軸９を介して回動自在に支持されている。
【００１６】
図６に示すように、両妻パネル５は、予め倒伏されている後桁パネル４上に、上端面同士を突き合わせた状態で倒伏される。両妻パネル５が突き合わされた状態で倒伏されているため、上述した両桁パネル３，４のように重畳させた場合に比し、折畳んだ際のユニットハウス１全体の高さを低くすることができる。
【００１７】
又、図３に示すように、両妻パネル５の前後下部にボルト挿通孔５ｂが穿設され、床体２の床両側フレーム２ｄに、ボルト挿通孔５ｂに挿通されるボルトを螺入するナット（ウエルドナット）１０が固設されている。妻パネル５に穿設されているボルト挿通孔５ｂに挿通されたボルトを床体２の床両側フレーム２ｄに固設されているナット１０に螺入することで、両妻パネル５の設状態を維持させることができる。
【００１８】
更に、両妻パネル５の前後に設けられている妻フレーム５ａの、両妻パネル５が立設されたときの対向面にＬ型フレーム１１が固設されている。このＬ型フレーム１１の上部中途にボルト挿通孔１１ａが穿設され、前後桁パネル３，４の両側に設けられている桁フレーム３ａ，４ａの、ボルト挿通孔１１ａに対応する位置にナット（ウエルドナット）１２が固設されている。このボルト挿通孔１１ａに挿通されたボルトを前後桁パネル３，４の桁フレーム３ａ，４ａに固設されているナット１２に螺入することで、前後桁パネル３，４が仮固定される。尚、前桁パネル３には引戸１３が予め取付けられており、一方、後桁パネル４には窓１４が予め取付けられている。
【００１９】
又、屋根体６は、複数の角パイプ母屋材で骨格が形成され、その上面に母屋外板６ａが固設されている。この屋根体６は、平面視において上述した床板２よりもやや大きい形状（長方形）に形成されている。この屋根体６の前後に屋根フレーム６ｂが設けられており、この屋根フレーム６ｂの下面、及び屋根体６の左右下縁部に枠フレーム１５が固設されており、この枠フレーム１５が、立設された各桁パネル３，４と妻パネル５の上端外縁に取付けられる。この枠フレーム１５にはボルト挿通孔１５ａが所定に穿設されており、このボルト挿通孔１５ａに対応する各パネル３〜５の上端縁に、ナット（ウエルドナット）１６が固設されている。
【００２０】
このような構成によるユニットハウス１は、折畳まれた状態で収納、保管されている。すなわち、図５に示すように、折畳まれた状態のユニットハウス１は、床体２上に前桁パネル３が倒伏され、その上に後桁パネル４が倒伏され、更に、この後桁パネル４上に左右の両妻パネル５が突き合わされた状態で倒伏され、その上に屋根体６が載置されている。
【００２１】
屋根体６の前後に設けられている屋根フレーム６ｂの両側には、上部固定ブラケット２０が固設されている。この上部固定ブラケット２０に対応する床体２の部位に、コの字状に形成された下部固定ブラケット２１が固設されている。この各固定ブラケット２０，２１には、掛止孔２０ａ，２１ａが穿設されており、ユニットハウス１が折畳まれた状態で保管される際に、上下の掛止孔２０ａ，２１ａ間が締結具を介して締結される。このユニットハウス１を締結具で締結することで、ずれが防止され、搬送及び保管が容易となる。尚、締結具としては、ターンバックルがあり、ターンバックル胴の両側に螺入されているボルトの先端に形成されているフックを、各固定ブラケット２０，２１に穿設されている掛止孔２０ａ，２１ａ間に掛止して締結する。
【００２２】
次に、折畳まれた状態のユニットハウス１を組立てる手順について説明する。図５に示すようなユニットハウス１が折畳まれている状態では、各部材のずれを防止するために床体２と屋根体６との間が締結具を介して締結されており、この締結具による締結を解放する。
【００２３】
次いで、先ず、図６に示すように、ユニック等を利用して屋根体６を吊り上げて取り外す。その後、図７、図８に示すように、両側の妻パネル５を起立させる。各妻パネル５の下部は、床体２に固設されているステー８にねじ軸９を介して回動自在に支持されており、妻パネル５を後桁パネル４上から容易に起立させることができる。そして、この各妻パネル５の下部に穿設されているボルト挿通孔５ｂ（図２参照）を貫通して、床体２の両側に固設されているナット１０にボルトを螺入し、妻パネル５の下部を床体２に固定する。
【００２４】
その後、図９に示すように、後桁パネル４を前桁パネル３上から起立させる。後桁パネル４の下端が床後フレーム２ｃの上面にヒンジ７を介して支持されているため、後桁パネル４はヒンジ７を中心として容易に起立させることができる。そして、後桁パネル４の両側に設けた桁フレーム４ａを、両妻パネル５の妻フレーム５ａに固設されているＬ型フレーム１１の内面に当接させて位置決めする。次いで、Ｌ型フレーム１１に穿設されているボルト挿通孔１１ａを貫通して、桁フレーム４ａに固設されているナット（ウエルドナット）１２にボルトを螺入して仮締結する。
【００２５】
その後、図１０に示すように、前桁パネル３を床体２の床板２ａ上から起立させる。この前桁パネル３の下端が床前フレーム２ｂの上面にヒンジ７を介して支持されているため、前桁パネル３はヒンジ７を中心として容易に起立させることができる。そして、前桁パネル３の両側に設けた桁フレーム３ａを、両妻パネル５の妻フレーム５ａに固設されているＬ型フレーム１１の内面に当接させて位置決めする。
【００２６】
次いで、Ｌ型フレーム１１に穿設されているボルト挿通孔１１ａを貫通して、桁フレーム３ａに固設されているナット（ウエルドナット）１２にボルトを螺入して仮締結する（図４参照）。尚、前後桁パネル３，４には、引戸１３や窓１４が予め取付けられているため、組み立て作業が容易であり、当然、撤去作業も効率的に行うことができる。
【００２７】
その後、図１１に示すように、ユニック等を利用して屋根体６を、ユニットハウス１の上方に臨ませ、図１２に示すように、この屋根体６を各パネル３〜５の上面に載置する。その際、この屋根体６の下面周縁に固設されている枠フレーム１５を、各パネル３〜５の上縁外周に装着し、この枠フレーム１５に対して所定に穿設されているボルト挿通孔１５ａを貫通し、各パネル３〜５の上部に所定間隔で固設されているナット１６にボルトを螺入して締結し、ユニットハウス１の組立てを完成させる。
【００２８】
このように、本実施形態によれば、ユニットハウス１の側壁となる各パネル３〜５を床体２に回動自在に支持させると共に、床体２上に倒伏させるようにしたので、ユニットハウス１の組立て作業、及び撤収作業の効率化が実現できる。更に、両妻パネル５は互いに突き合わせた状態で倒伏されるので、折畳んだ際の高さを低くすることができ、よりコンパクトな状態で保管することができる。その結果、保管スペースを有効に使用することができる。
【００２９】
更に、前桁パネル３と後桁パネル４との下端を、ヒンジ７を介して支持する床前フレーム２ｂと床後フレーム２ｃとの高さＨｆ，Ｈｒに段差を設けて、両桁パネル３，４を倒伏させた際に互いに重畳されるようにしたので、この桁パネル３，４を、例えば特開平１１−１９３５７５号公報に開示されているように、中央部から水平に屈曲させて折畳む必要がなく、組立て、及び撤収をより効率的に行うことができる。
【００３０】
又、壁面となる４面のパネル３〜５が全て床体２に連設されているため、保管中にばらばらになったり、欠品することもなく管理が容易となる。
【００３１】
尚、本発明は上述した実施形態に限るものではなく、例えば、両妻パネル５を床体２の床板２ａ上に突き合わせた状態で倒伏させ、前桁パネル３と後桁パネル４とを妻パネル５上に重畳させた状態で倒伏させるようにしても良い。
【符号の説明】
【００３２】
１…ユニットハウス、
２…床体、
２ｂ…床前フレーム、
２ｃ…床後フレーム、
２ｄ…床両側フレーム、
３…前桁パネル、
３ａ…桁フレーム、
４…後桁パネル、
４ａ…桁フレーム、
５…妻パネル、
５ａ…妻フレーム、
６…屋根体、
６ｂ…屋根フレーム、
７…ヒンジ、
８…ステー、
１５…枠フレーム、
Ｈｆ，Ｈｒ…高さ
【図１】
2012158897.tif 000003
【図２】
2012158897.tif 000004
【図３】
2012158897.tif 000005
【図４】
2012158897.tif 000006
【図５】
2012158897.tif 000007
【図６】
2012158897.tif 000008
【図７】
2012158897.tif 000009
【図８】
2012158897.tif 000010
【図９】
2012158897.tif 000011
【図１０】
2012158897.tif 000012
【図１１】
2012158897.tif 000013
【図１２】
2012158897.tif 000014